(57)【要約】      （修正有）【課題】折り畳みの利便性を確保しつつ、開口部を簡易な構造で封止可能なバッグを提供する。【解決手段】バッグ１００は、正面部１と、背面部２と、マチ部３ａ、３ｂとを備え、上部が開口部４となり、底部に沿って封着される。正面部１及び背面部２の上部には、第１帯状部材５及び第２帯状部材６が開口部４に沿ってそれぞれ設けられている。第１帯状部材５は、第１左側収容空間１１にその左端側が収容され、第１右側収容空間１２にその右端側が収容され、第１開放部１３からその中央部が露出するように構成されている。第２帯状部材６は、第２左側収容空間２１にその左端側が収容され、第２右側収容空間２２にその右端側が収容され、第２開放部２３からその中央部が露出するように構成されている。バッグ１００の使用時には、第１帯状部材５及び第２帯状部材６を第１開放部１３及び第２開放部２３からそれぞれ引き出すことによって、開口部４を巾着のように封止する。【選択図】図１
0003231274.tif 000002
【実用新案登録請求の範囲】
【請求項１】
正面部と、該正面部と重なり合う背面部と、前記正面部及び前記背面部の両側に設けられたマチ部とを備え、上部が開口部となり、底部に沿って封着されたバッグであって、
前記正面部及び前記背面部の上部には、第１帯状部材及び第２帯状部材が前記開口部に沿ってそれぞれ設けられており、
前記第１帯状部材は、一方の前記マチ部から前記正面部にかけて延設された第１左側収容空間にその左端側が収容され、他方の前記マチ部から前記正面部にかけて延設された第１右側収容空間にその右端側が収容され、前記正面部の上部中央に設けられた第１開放部からその中央部が露出するように構成されており、
前記第２帯状部材は、一方の前記マチ部から前記背面部にかけて延設された第２左側収容空間にその左端側が収容され、他方の前記マチ部から前記背面部にかけて延設された第２右側収容空間にその右端側が収容され、前記背面部の上部中央に設けられた第２開放部からその中央部が露出するように構成されている、バッグ。
【請求項２】
前記第１帯状部材は、その長さが前記正面部の横幅と略同一であり、その左端が前記正面部の左端部に、その右端が前記正面部の右端部に固定され、
前記第２帯状部材は、その長さが前記背面部の横幅と略同一であり、その左端が前記背面部の左端部に、その右端が前記背面部の右端部に固定されている、請求項１に記載のバッグ。
【請求項３】
前記正面部には、前記バッグを折り畳んだ状態を保持するための雌雄一対の保持部材が設けられている、請求項１又は２に記載のバッグ。
【請求項４】
前記雌雄一対の保持部材が、前記正面部の上部側において、中心線を挟んで左右対称な位置に設けられている、請求項３に記載のバッグ。
【考案の詳細な説明】
【技術分野】
【０００１】
本考案は、購入した商品等を収容するバッグに関し、特に、使用時以外にはコンパクトに折り畳むことができるバッグに関する。
【背景技術】
【０００２】
従来、商品購入時にはレジにていわゆるレジ袋や紙袋が無料で提供され、購入した商品をそれらの袋に入れて持ち帰ることが一般的であったが、環境保全意識の高まりやレジ袋有料化の流れにより、近頃は消費者が自前のバッグを持参することが増えてきている。特にエコバッグと呼ばれる、繰り返して使用が可能なバッグを持参する消費者が増えてきており、様々なデザインや形状のエコバッグが流通している。
【０００３】
このエコバッグは、基本的に商品購入時にのみ使用するものであるため、使用時以外はコンパクトに折り畳むことで容易に携帯できることが求められている。そのため、材質や形状を工夫することにより、使用時以外はコンパクトに折り畳むことができるようになったエコバッグが多く提案されている。例えば、特許文献１には、プリーツ加工によって山折り線と谷折り線とを複数形成し、折り畳みを容易にすることができる折り畳み式エコバッグが記載されている。また、特許文献２には、折り畳み状態を維持できるように位置決め部材を配置したエコバッグが記載されている。
【先行技術文献】
【特許文献】
【０００４】
【特許文献１】実用新案登録第３２２５０９２号公報
【特許文献２】実用新案登録第３２２９３２６号公報
【考案の概要】
【考案が解決しようとする課題】
【０００５】
しかしながら、特許文献１に記載のエコバッグ、特許文献２に記載のエコバッグのいずれも、折り畳みの利便性を優先しているため、中に商品等を収納した後にバッグの開口部を封止できるような構造を備えておらず、何らかのはずみでバッグの開口部から収納物が転がり出てしまうおそれがあった。
【０００６】
本考案は上述のような事情に基づいてなされたものであり、折り畳みの利便性を確保しつつ、開口部を簡易な構造で封止可能なバッグの提供を目的とする。
【課題を解決するための手段】
【０００７】
上記課題を解決するために、本考案は、正面部と、該正面部と重なり合う背面部と、前記正面部及び前記背面部の両側に設けられたマチ部とを備え、上部が開口部となり、底部に沿って封着されたバッグであって、前記正面部及び前記背面部の上部には、第１帯状部材及び第２帯状部材が前記開口部に沿ってそれぞれ設けられており、前記第１帯状部材は、一方の前記マチ部から前記正面部にかけて延設された第１左側収容空間にその左端側が収容され、他方の前記マチ部から前記正面部にかけて延設された第１右側収容空間にその右端側が収容され、前記正面部の上部中央に設けられた第１開放部からその中央部が露出するように構成されており、前記第２帯状部材は、一方の前記マチ部から前記背面部にかけて延設された第２左側収容空間にその左端側が収容され、他方の前記マチ部から前記背面部にかけて延設された第２右側収容空間にその右端側が収容され、前記背面部の上部中央に設けられた第２開放部からその中央部が露出するように構成されている、バッグを提供する（考案１）。
【０００８】
かかる考案（考案１）によれば、バッグの使用時には第１帯状部材及び第２帯状部材を第１開放部及び第２開放部から引き出して持ち手とすることができるとともに、第１帯状部材及び第２帯状部材を第１開放部及び第２開放部から引き出すことによってバッグ開口部を巾着のように封止することができるので、バッグの開口部から収納物が転がり出てしまうおそれがなく、第１帯状部材及び第２帯状部材が帯状であるため、バッグの折り畳みを阻害することもない。さらに、折り畳んだバッグの端部を第１開放部及び第２開放部からバッグの内側に挿し込むことによって折り畳み状態を維持することが可能である。したがって、かかる考案（考案１）によれば、折り畳みの利便性を確保しつつ、開口部を簡易な構造で封止可能なバッグが実現できる。
【０００９】
上記考案（考案１）においては、前記第１帯状部材は、その長さが前記正面部の横幅と略同一であり、その左端が前記正面部の左端部に、その右端が前記正面部の右端部に固定され、前記第２帯状部材は、その長さが前記背面部の横幅と略同一であり、その左端が前記背面部の左端部に、その右端が前記背面部の右端部に固定されていることが好ましい（考案２）。
【００１０】
かかる考案（考案２）によれば、バッグに物品を収納していないときに、バッグの両端を引っ張ることによって第１帯状部材及び第２帯状部材が張られて元の位置に戻るため、容易に折り畳むことができる。また、このような構造であれば、第１帯状部材及び第２帯状部材も含めたバッグの外表面にデザインが施されている場合に、常に第１帯状部材及び第２帯状部材が同じ位置に戻るため、デザイン性を損なうこともない。
【００１１】
上記考案（考案１、２）においては、前記正面部には、前記バッグを折り畳んだ状態を保持するための雌雄一対の保持部材が設けられていてもよい（考案３）。
【００１２】
かかる考案（考案３）によれば、バッグを折り畳んだ時に保持部材を用いて折り畳み状態を維持する折り畳み方法と、上述の折り畳んだバッグの端部を第１開放部及び第２開放部からバッグの内側に挿し込むことによって折り畳み状態を維持する折り畳み方法の、異なる二通りの折り畳み方法で折り畳むことができるので、折り畳みの利便性をより高めることができる。
【００１３】
上記考案（考案３）においては、前記雌雄一対の保持部材が、前記正面部の上部側において、中心線を挟んで左右対称な位置に設けられていることが好ましい（考案４）。
【考案の効果】
【００１４】
本考案のバッグによれば、折り畳みの利便性を確保しつつ、開口部を簡易な構造で封止可能なものとすることができる。
【図面の簡単な説明】
【００１５】
【図１】本考案の一実施形態に係るバッグの構造を示す模式図であり、（ａ）は正面図、（ｂ）は背面図、（ｃ）は斜視図である。
【図２】同実施形態に係るバッグを手提げで使用する際の状態を示す説明図である。
【図３】同実施形態に係るバッグを第１の方法で折り畳む手順を示す説明図である。
【図４】同実施形態に係るバッグを第２の方法で折り畳む手順を示す説明図である。
【考案を実施するための形態】
【００１６】
以下、本考案のバッグの実施の形態について、適宜図面を参照して説明する。以下に説明する実施形態は、本考案の理解を容易にするためのものであって、何ら本考案を限定するものではない。
【００１７】
図１は、本考案の一実施形態に係るバッグ１００を示す模式図であり、（ａ）はバッグ１００の正面図、（ｂ）はバッグ１００の背面図、（ｃ）は斜視図である。なお、本明細書において、正面、背面、左、右、上、下といった語句は、バッグ１００の構造を説明するために用いているものであり、これらの語句によってバッグ１００の使用状態等が限定されるものではない。
【００１８】
バッグ１００は、略矩形状の正面部１と、正面部１と重なり合う略矩形状の背面部２と、正面部１及び背面部２の両側に設けられたマチ部３ａ、３ｂとを備え、上部が開口部４となり、底部に沿って封着された、いわゆるエコバッグである。バッグ１００の正面部１、背面部２及びマチ部３ａ、３ｂの材質としては、例えば、ポリエステル等の合成繊維が挙げられるが、これに限られるものではなく、エコバッグとしての使用に適した素材であれば合成樹脂、布、不織布、紙等を適宜用いることができる。
【００１９】
図１に示すように、正面部１の上部には、第１帯状部材５が開口部４に沿って設けられており、背面部２の上部には、第２帯状部材６が開口部４に沿って設けられている。
【００２０】
第１帯状部材５は、バッグの使用時には持ち手として機能するものであり、左側のマチ部３ａから正面部１にかけて延設された第１左側収容空間１１にその左端側が収容され、右側のマチ部３ｂから正面部１にかけて延設された第１右側収容空間１２にその右端側が収容され、正面部１の上部中央に設けられた第１開放部１３からその中央部が露出するように構成されている。
【００２１】
第２帯状部材６は、バッグの使用時には持ち手として機能するものであり、左側のマチ部３ａから背面部２にかけて延設された第２左側収容空間２１にその左端側が収容され、右側のマチ部３ｂから背面部２にかけて延設された第２右側収容空間２２にその右端側が収容され、背面部２の上部中央に設けられた第２開放部２３からその中央部が露出するように構成されている。
【００２２】
第１帯状部材５及び第２帯状部材６は、例えば正面部１、背面部２及びマチ部３ａ、３ｂと同じポリエステル等の合成繊維を厚みのない帯状としたものであってよいが、これに限られるものではなく、エコバッグの持ち手としての使用に適した素材を厚みのない帯状としたものであれば適宜用いることができる。
【００２３】
本実施形態においては、第１帯状部材５は、その長さが正面部１の横幅と略同一であり、その左端が正面部１の左端部に、その右端が正面部１の右端部に固定されている。また、第２帯状部材６は、その長さが背面部２の横幅と略同一であり、その左端が背面部２の左端部に、その右端が背面部２の右端部に固定されている。バッグ１００の構造上、正面部１の横幅と背面部２の横幅とは略同一になっているため、第１帯状部材５の長さと第２帯状部材６の長さも略同一である。
【００２４】
図１（ａ）に示すように、正面部１には、バッグ１００を折り畳んだ状態を保持するための雌雄一対の保持部材１４ａ、１４ｂが設けられている。本実施形態では、雌雄一対の保持部材１４ａ、１４ｂが、正面部１の上部側において、中心線Ｌを挟んで左右対称な位置に設けられている。なお、本実施形態においては、保持部材１４ａ、１４ｂとして樹脂製のスナップボタンが用いられているが、着脱自在に保持できる部材であればこれに限られるものではなく、例えば金属製のスナップボタンや面ファスナ、磁石等を保持部材１４ａ、１４ｂとして用いてもよい。
【００２５】
このようなバッグ１００であれば、図２に示すように、バッグ１００の使用時には第１帯状部材５及び第２帯状部材６を第１開放部１３及び第２開放部２３からそれぞれ引き出して持ち手とすることができるとともに、第１帯状部材５及び第２帯状部材６を第１開放部１３及び第２開放部２３からそれぞれ引き出すことによってバッグ１００の開口部４を巾着のように封止することができるので、バッグ１００の開口部４から収納物が転がり出てしまうおそれがない。また、第１帯状部材５及び第２帯状部材６が帯状であるため、バッグの折り畳みを阻害することもなく、さらに、折り畳んだバッグ１００の端部を第１開放部５及び第２開放部６からバッグの内側に挿し込むことによって折り畳み状態を維持することが可能である。
【００２６】
また、バッグ１００に物品を収納していないときに、バッグ１００の両端を引っ張ることによって第１帯状部材５及び第２帯状部材６が張られて元の位置に戻るため、容易に折り畳むことができる。また、このような構造であれば、第１帯状部材５及び第２帯状部材６も含めたバッグの外表面にデザインが施されている場合に、常に第１帯状部材５及び第２帯状部材６が同じ位置に戻るため、デザイン性を損なうこともない。
【００２７】
本実施形態のバッグ１００は、バッグ１００を折り畳んだ時に保持部材１４ａ、１４ｂを用いて折り畳み状態を維持する折り畳み方法（第１の方法）と、折り畳んだバッグ１００の端部を第１開放部１３及び第２開放部２３からバッグ１００の内側に挿し込むことによって折り畳み状態を維持する折り畳み方法（第２の方法）の、異なる二通りの折り畳み方法で折り畳むことができるので、折り畳みの利便性をより高めることができる。以下、二つの折り畳み方法を具体的に説明する。
【００２８】
図３には、第１の方法でバッグ１００を折り畳む手順が示されている。まず、バッグ１００の背面部２を表側にして置き（Ａ）、下側から縦方向に三つ折りにする（Ｂ、Ｃ）。次に、両側から両端が中央に来るように横方向に折り畳むと（Ｄ）、正面部２の上部側に設けられている保持部材１４ａ、１４ｂが表側に来るので（Ｅ）、さらに横方向に二つ折りにし（Ｆ）、保持部材１４ａ、１４ｂを係合させることで、折り畳み状態を保持した状態で折り畳みが完了する（Ｇ）。
【００２９】
図４には、第２の方法でバッグ１００を折り畳む手順が示されている。第２の方法では、バッグ１００の正面部１及び背面部２のどちらを表側にして置いてもよいが、まず、バッグ１００の正面部１及び背面部２のどちらかを表側にして置き（Ａ）、両側から中央に重ねるように三つ折りにする（Ｂ、Ｃ）。次に、中央に三つ折りに重ねるように上側１／３を折り畳むと（Ｄ）、折り畳んだ端部に第１開放部１３又は第２開放部２３が現れるので、その第１開放部１３又は第２開放部２３に端部を挿し込むように下側１／３を折り畳む（Ｅ）。このように下側１／３を第１開放部１３又は第２開放部２３から挿し込むことにより、折り畳み状態を保持した状態で折り畳みが完了する（Ｆ）。
【００３０】
以上、本考案について図面を参照にして説明してきたが、本考案は上記実施形態に限定されず、種々の変更実施が可能である。例えば、上記実施形態において、正面部１及び背面部２の上部中央に設けられた第１開放部１３及び第２開放部２３は半楕円形状に構成されているが、これに限られるものではなく、第１帯状部材５及び第２帯状部材６を第１開放部１３及び第２開放部２３から引き出せるように構成されていれば、矩形状等の他の形状であってもよい。また、正面部１及び背面部２の形状も略矩形状に限定されるものではなく、台形状等の他の形状であってもよいし、何かの形態を模したような形状（例えば果物、乗り物、運動用具等）であってもよい。
【００３１】
以上説明したように、本考案のバッグによれば、折り畳みの利便性を確保しつつ、開口部を簡易な構造で封止可能なものとすることができる。
【符号の説明】
【００３２】
１００  バッグ
１  正面部
１１  第１左側収容空間
１２  第１右側収容空間
１３  第１開放部
１４ａ、１４ｂ  保持部材
２  背面部
２１  第２左側収容空間
２２  第２右側収容空間
２３  第２開放部
３ａ、３ｂ  マチ部
４  開口部
５  第１帯状部材
６  第２帯状部材  
【図１】
0003231274.tif 000003
【図２】
0003231274.tif 000004
【図３】
0003231274.tif 000005
【図４】
0003231274.tif 000006